(57)【特許請求の範囲】
【請求項１】
単相３線式電路の引き込み線が接続される主幹漏電ブレーカと前記主幹漏電ブレーカの二次側電路に複数接続された分岐ブレーカとが組み付けられ、特定の震度以上の地震を感知したらその後の所定のタイミングで前記主幹漏電ブレーカを遮断動作させる感震リレーを備えた感震遮断機能付分電盤であって、
前記感震リレーは、前記主幹漏電ブレーカを漏電遮断させる擬似漏電出力部に加えて、前記特定の震度以上の地震を感知したら地震発生信号を即時に出力する警報出力部を有する一方、
前記警報出力部の出力を受けて、即時に擬似漏電を発生させるための１つ或いは複数の出力端子を有する変換ユニットを具備し、
前記分岐ブレーカのうち、少なくとも前記変換ユニットの出力端子が接続されたものが分岐漏電ブレーカであって、
当該分岐漏電ブレーカは３端子ブレーカであり、その一次側端子は単相３線式電路のそれぞれの相に接続される一方、二次側端子は３端子のうち２端子が分岐電路の接続に使用され、他の１端子が前記変換ユニットの出力端子に接続されて成り、
前記感震リレーが地震発生信号を出力したら、前記変換ユニットの出力端子が接続された前記分岐漏電ブレーカが遮断動作することを特徴とする感震遮断機能付分電盤。
【発明の詳細な説明】
【技術分野】
【０００１】
本発明は、擬似漏電を発生させる感震リレーを備えて、地震が発生したら主幹漏電ブレーカが遮断動作する感震遮断機能付分電盤に関する。
【背景技術】
【０００２】
従来より感震遮断機能を備えた分電盤がある。例えば、特許文献１では、主幹漏電ブレーカの電路にコントロールユニット（感震リレー）を接続して、感震リレーに内蔵されている感震センサが地震を感知したら、その後停電発生のタイミング或いは復電のタイミング等所定のタイミングで主幹漏電ブレーカの接続電路に擬似漏電電流を発生させて遅延遮断動作させた。
【先行技術文献】
【特許文献】
【０００３】
【特許文献１】特開平９−２１５１７８号公報
【発明の概要】
【発明が解決しようとする課題】
【０００４】
上記従来の感震機能付分電盤では、感震リレーを主幹漏電ブレーカに接続することで、主幹漏電ブレーカに感震遮断機能を組み込むこと無く二次側に接続されている全ての負荷の電源を遮断した。そして、上述したように即時に遮断するのではなく、地震発生後所定のタイミングで遮断動作させることで居住者はスムーズな避難が可能であった。
しかしながら、負荷の中には地震発生を受けて即時に電源を遮断するのが望ましいものもあり、そのためには別途感震リレーを必要とした。
【０００５】
そこで、本発明はこのような問題点に鑑み、感震リレー１台で主幹ブレーカの遅延遮断と一部の分岐ブレーカの即時遮断の双方を実現する感震遮断機能付分電盤を提供することを目的としている。
【課題を解決するための手段】
【０００６】
上記課題を解決する為に、請求項１の発明は、単相３線式電路の引き込み線が接続される主幹漏電ブレーカと主幹漏電ブレーカの二次側電路に複数接続された分岐ブレーカとが組み付けられ、特定の震度以上の地震を感知したらその後の所定のタイミングで主幹漏電ブレーカを遮断動作させる感震リレーを備えた感震遮断機能付分電盤であって、感震リレーは、主幹漏電ブレーカを漏電遮断させる擬似漏電出力部に加えて、特定の震度以上の地震を感知したら地震発生信号を即時に出力する警報出力部を有する一方、警報出力部の出力を受けて、即時に擬似漏電を発生させるための１つ或いは複数の出力端子を有する変換ユニットを具備し、分岐ブレーカのうち、少なくとも変換ユニットの出力端子が接続されたものが分岐漏電ブレーカであって、当該分岐漏電ブレーカは３端子ブレーカであり、その一次側端子は単相３線式電路のそれぞれの相に接続される一方、二次側端子は３端子のうち２端子が分岐電路の接続に使用され、他の１端子が変換ユニットの出力端子に接続されて成り、感震リレーが地震発生信号を出力したら、変換ユニットの出力端子が接続された分岐漏電ブレーカが遮断動作することを特徴とする。
この構成によれば、１つの感震リレーが地震発生を感知したら、主幹漏電ブレーカを遅延遮断動作させるのに加えて、特定の分岐漏電ブレーカが即時遮断動作する。よって、既存の感震リレーを使用して、また１つの感震リレーを使用して即時遮断と遅延遮断の双方を実現できる。
【０００７】
加えて、変換ユニットの出力端子は分岐漏電ブレーカの端子に接続されるため、分岐電路に接続する必要が無く、別途接続するための端子台を必要としない。
【発明の効果】
【０００８】
本発明によれば、１つの感震リレーが地震発生を感知したら、主幹漏電ブレーカが遅延遮断動作するのに加えて、特定の分岐漏電ブレーカが即時遮断動作する。よって、既存の感震リレーを使用して、また１つの感震リレーを使用して即時遮断と遅延遮断の双方を実現できる。
【図面の簡単な説明】
【０００９】
【図１】本発明に係る漏電遮断機能付分電盤の一例を示す構成図である。
【図２】感震リレーの回路ブロック図である。
【図３】変換ユニットの回路ブロック図である。
【発明を実施するための形態】
【００１０】
以下、本発明を具体化した実施の形態を、図面を参照して詳細に説明する。図１は本発明に係る漏電遮断器能付分電盤の一例を示す構成図であり、２本の電圧相Ｌ１，Ｌ２と中性相Ｎの３本から成る単相３線式電路（以下、単に「電路」とする。）Ａから複数の分岐電路を形成する分電盤１０を示している。図１において、１は漏電遮断機能を備えた主幹漏電ブレーカ（主幹ＥＬＢ）、２，３は分岐ブレーカ、４は感震リレー、５は変換ユニットである。但し、分岐ブレーカ２，３のうち、２は漏電遮断機能を持たない分岐ブレーカ、３（３ａ，３ｂ）は漏電遮断器能を備えた分岐漏電ブレーカ（分岐ＥＬＢ）である。
【００１１】
主幹ＥＬＢ１の一次側には電路Ａの引き込み線（一次側電路Ａ１）が接続され、二次側の電路Ａ（二次側電路Ａ２）からは分岐ブレーカ２或いは分岐ＥＬＢ３を介して２つの分岐電路Ｂ１，Ｂ２（Ｂ２ａ，Ｂ２ｂ）が形成されている。
そして、主幹ＥＬＢ１を挟んだ電路Ａに感震リレー４が接続され、特定の震度以上の地震が発生したら、主幹ＥＬＢ１を挟んだ電路Ａに擬似漏電を発生させて主幹ＥＬＢ１を遮断動作させるよう構成されている。
【００１２】
また、分岐ＥＬＢ３は３端子型の漏電ブレーカであり、３本からなる二次側電路Ａ２のそれぞれに一次側の３端子が接続され、二次側の３端子のうち２端子が分岐電路Ｂ２に使用され、残りの１端子が変換ユニット５に接続されている。尚、分岐ブレーカ２は、２端子ブレーカであり、一次側は３本のうちの任意の２本に接続されて使用される。
【００１３】
図２は感震リレー４の回路ブロック図を示している。図２に示すように、発生した地震を感知して揺れに応じた信号を出力する感震センサ４１、擬似漏電を出力する擬似漏電出力部４２、地震発生を発報報知すると共に外部に地震発生信号を出力するための警報出力部４３、感震センサ４１からの揺れ情報を受けて震度を判定する感震リレーＣＰＵ４４等を備えている。
感震リレーＣＰＵ４４は、感震センサ４１の計測データから、感知した地震が震度５等の予め設定された震度或いはそれより大きい震度である場合に、警報出力部４３から地震発生信号を出力させる。また、予め設定した一定時間後に擬似漏電出力部４２から接続先の電路Ａに擬似漏電電流を流す。即ち、擬似漏電を出力させる。
【００１４】
図３は変換ユニット５の回路ブロック図を示し、感震リレー４の警報出力部４３が接続される警報出力受信部５１、２つの出力端子５２ａを有する擬似漏電出力部５２、変換ユニット制御部５３等を備えている。変換ユニット制御部５３は、感震リレー４の警報出力を受けて、擬似漏電出力部５２から接続先の分岐電路Ｂ２に擬似漏電電流を流す。即ち、擬似漏電を出力させる。
【００１５】
感震リレー４、変換ユニット５の接続及び動作を具体的に説明する。図１に示すように、感震リレー４の擬似漏電出力部４２は、主幹ＥＬＢ１の一次側電路Ａ１の２つの電圧相Ｌ１，Ｌ２うちの一方の電圧相Ｌ２に接続線Ｓ１により接続されている。また感震リレー４は、この擬似漏電出力部４２に擬似漏電を出力させるための入力部（図示せず）を有し、接続線Ｓ２により二次側電路Ａ２の中性線Ｎに接続されている。
【００１６】
変換ユニット５の出力端子５２ａは、分岐ＥＬＢ３の二次側端子の使用されていない端子に接続線Ｓ３により接続されている。また変換ユニット５は、この出力端子５２ａから擬似漏電を出力させるための入力部（図示せず）を有し、接続線Ｓ４により二次側電路Ａ２の中性線Ｎに接続されている。
【００１７】
尚、感震リレー４、変換ユニット５とも主幹ＥＬＢ１の二次側電路Ａ２に接続された電源部を有しており、その中の中性線Ｎに接続された電源線が接続線Ｓ２，Ｓ４を兼用している。
【００１８】
このように接続された結果、感震リレー４が予め設定された特定の震度、或いはそれ以上の震度の地震を感知すると、警報出力部４３の図示しない報音部から警報を発すると共に、地震発生信号が変換ユニット５に対して出力される。また、３分等の所定時間後に擬似漏電出力部４２から擬似漏電を出力する。
また、地震発生信号が伝送された変換ユニット５は、擬似漏電出力部５２が出力端子５２ａから擬似漏電を出力させる。
こうして、感震リレー４が感知動作したら即時に変換ユニット５から擬似漏電が出力されることで、出力端子５２ａが接続されている分岐ＥＬＢ３（３ａ，３ｂ）は漏電発生と判断して遮断動作する。
更に、分岐ＥＬＢ３が遮断動作してから一定時間後に、感震リレー４から出力される擬似漏電により主幹ＥＬＢ１が遮断動作する。
【００１９】
このように、１つの感震リレー４が地震発生を感知したら、主幹漏電ブレーカ４を遅延遮断動作させるのに加えて、特定の分岐漏電ブレーカ３が即時遮断動作する。よって、既存の感震リレー４を使用して、また１つの感震リレー４を使用して即時遮断と遅延遮断の双方を実現できる。
また、変換ユニット５の出力端子５２ａは分岐漏電ブレーカ３の端子に接続されるため、分岐電路に接続する必要が無く、別途接続するための端子台を必要としない。
【００２０】
尚、上記実施形態の変換ユニット５は、２つの出力端子５２ａを有しているが、出力端子５２ａの数は即時遮断する分岐電路Ｂ２が３路或いはそれ以上あればその数に合わせて増やせば良い。
また感震リレー４は、地震感知後一定の時間が経過したら擬似漏電を出力するが、遅延動作のタイミングを時間で規定しなくとも良く、地震発生による停電に合わせても良いし、その後の復電に合わせても良い。
【符号の説明】
【００２１】
１・・主幹漏電ブレーカ、２・・分岐ブレーカ、３・・分岐漏電ブレーカ、４・・感震リレー、５・・変換ユニット、１０・・分電盤、４１・・感震センサ、４４・・感震リレーＣＰＵ、４２・・擬似漏電出力部、４３・・警報出力部、５１・・警報出力受信部、５２・・擬似漏電出力部、５２ａ・・出力端子、５３・・変換ユニット制御部、Ａ・・単相３線式電路、Ｂ１，Ｂ２・・分岐電路。
【図１】
0006803146.tif 000002
【図２】
0006803146.tif 000003
【図３】
0006803146.tif 000004